(57)【要約】  本発明は、自動車の光学センサ（９）モジュール（３）用の清掃装置であって、ハウジング（７）と、ハウジング（７）内に収容された光学センサ（９）とを備え、清掃装置（５）は、センサ（９）モジュール（３）によって支持された第２スナップ嵌合部材（２５）と係合するように形成された第１スナップ嵌合部材（２３）を有する円筒形フランジ（２１）を備え、第１スナップ嵌合部材（２３）および第２スナップ嵌合部材（２５）は、取り付けられた状態において、円筒形フランジ（２１）の軸線が光学センサ（９）の光軸（Ａ）と一致するように構成され、噴霧開口（３５Ｏ、３７Ｏ）を有する少なくとも１つのパイプ（３５、３７）が、円筒形フランジ（２１）の内壁（３３）に取り付けられ、噴霧開口（３５Ｏ、３７Ｏ）は、光学部品（９）に向けて方向付けられていることを特徴とする清掃装置に関する。
2019504801.tif 000002
【特許請求の範囲】
【請求項１】
自動車の光学センサ（９）モジュール（３）用の清掃装置であって、
ハウジング（７）と、前記ハウジング（７）内に収容された光学センサ（９）とを備え、
前記清掃装置（５）は、前記センサ（９）モジュール（３）によって支持された第２スナップ嵌合部材（２５）と係合するように形成された第１スナップ嵌合部材（２３）を有する円筒形フランジ（２１）を備え、
前記第１スナップ嵌合部材（２３）および前記第２スナップ嵌合部材（２５）は、取り付けられた状態において、前記円筒形フランジ（２１）の軸線が前記光学センサ（９）の光軸（Ａ）と一致するように構成され、
噴霧開口（３５Ｏ、３７Ｏ）を有する少なくとも１つのパイプ（３５、３７）が、前記円筒形フランジ（２１）の内壁（３３）に固定され、
前記噴霧開口（３５Ｏ、３７Ｏ）は、光学部品（９）に向けて方向付けられていることを特徴とする清掃装置。
【請求項２】
前記第１スナップ嵌合部材（２３）は、前記第２スナップ嵌合部材（２５）を形成する円形溝であって、前記センサ（９）モジュール（３）の支持部（３１）に形成された円形溝と協働するのに適した傾斜部を含んでいることを特徴とする請求項１に記載の清掃装置。
【請求項３】
前記円筒形フランジ（２１）の前記内壁（３３）に規則的に分配された３つの第１スナップ嵌合部材（２３）を含んでいることを特徴とする請求項１または２に記載の清掃装置。
【請求項４】
前記第１スナップ嵌合部材（２３）は、前記円筒形フランジ（２１）と一体成形で作製されていることを特徴とする請求項１乃至３のいずれか一項に記載の清掃装置。
【請求項５】
各々が噴霧開口（３５Ｏ、３７Ｏ）を有するとともに、前記円筒形フランジ（２１）の前記内壁（３３）に対して互いに平行に固定された第１パイプ（３５）と第２パイプ（３７）とを備え、
前記第１パイプ（３５）は、洗浄液を噴霧するように意図されており、
前記第２パイプ（３７）は、圧縮空気を噴霧するように意図されていることを特徴とする請求項１乃至４のいずれか一項に記載の清掃装置。
【請求項６】
前記第１パイプ（３５）および前記第２パイプ（３７）が異なる直径を有し、特に前記第２パイプ（３７）は、前記第１パイプ（３５）よりも小さい直径を有することを特徴とする請求項５に記載の清掃装置。
【請求項７】
当該少なくとも１つの第１パイプ（３５）が、前記円筒形フランジ（２１）の前記内壁（３３）に対して、接着により固定されていることを特徴とする請求項１乃至６のいずれか一項に記載の清掃装置。
【請求項８】
当該少なくとも１つの第１パイプ（３５）が、前記円筒形フランジ（２１）の内周の半分のみに延びていることを特徴とする請求項１乃至７のいずれか一項に記載の清掃装置。
【請求項９】
ハウジング（７）と、前記ハウジング（７）内に収容された光学センサ（９）とを備える光学センサモジュール（３）であって、
請求項１乃至８のいずれか一項に記載の清掃装置（５）を備えることを特徴とする光学センサモジュール（３）。
【発明の詳細な説明】
【技術分野】
【０００１】
本発明は、運転支援の分野に関し、特に、特定の車両に設置されたカメラなどの光学検出システムに関する。より詳細には、本発明は、特に、運転手に供給される情報の質が最適となるように運転支援を行うような光学検出システム用の清掃装置に関する。
【背景技術】
【０００２】
光学検出システムは、人間に可視または不可視であるスペクトル、特に赤外線の光の放射および／または検出に基づく、カメラ、レーザセンサ（一般にＬＩＤＡＲＳと呼ばれる）または他のセンサなどの光学センサを備える任意のシステムに使用される用語である。
【０００３】
今日、現在の自動車の多くには、確認カメラ、特に後方確認カメラが設置されており、特に駐車支援システムの一部を形成しているため、方向転換することなくより容易に駐車することができるとともに、車両の背後に位置される障害物を検出できるようになっている。
【０００４】
車両のリヤウインドウに対して車室の内側に設置されてリヤウインドウから後方を向くカメラが知られている。これらのカメラは、外部の気候効果から良好に保護されるとともに、例えば、リヤウインドウを除氷して清掃するためのシステム、例えばリヤウインドウのガラスに組み込まれる加熱ワイヤの利点を有する場合がある。
【発明の概要】
【発明が解決しようとする課題】
【０００５】
しかしながら、視角は、特に駐車支援のためには最適ではなく、このため、カメラはリアバンパー上または車両のリアナンバープレート上に配置されることが好ましい。
【０００６】
この場合、カメラは、その光学部品（optic）上に堆積され得る汚れの噴霧に大きく晒され、その効率を低下させるか、またはそれを動作不能にさえする。
【０００７】
特に雨天時には、光学検出システムの操作性に大きな影響を及ぼす雨や汚れの噴霧が観察される。
【０００８】
カメラ上の汚れの堆積に対抗するために、カメラの光学部品を清掃するための装置、一般に清掃液噴霧ノズルをカメラの近傍に配置して、経時的に堆積される汚染要素を排除することが知られている。
【０００９】
文献ＵＳ２０１５／００４０９５３は、第１実施形態において、カメラを収容するハウジングの適合された横方向突出部にスナップ嵌合することができる横方向噴霧ノズルを備える清掃装置を開示している。しかしながら、この解決策は、大きすぎるとともに、使用者の肉眼で視認できるため、外観的に好ましくない。また横方向噴霧ノズルは洗浄液を噴射することができるのみであり、洗浄液の滴がレンズまたはカメラの保護ガラス上に残っている場合、跡が生じる可能性がある。
【００１０】
第２実施形態によれば、清掃装置は、プラスチック材料製の成形部品の形態で作製され、カメラの前方に組み立てられている。しかしながら、この成形部品は、洗浄液のための内部チャネルを含み、製造が複雑であり、コストがかかる。
【００１１】
本発明は、安価で取り付けが容易である一方、容易な適合を可能にする代替の光学検出システム清掃装置を提示することによって、上記の欠点の１つ以上を少なくとも部分的に改善することを提示する。
【課題を解決するための手段】
【００１２】
この目的のために、本発明の主題は、自動車の光学センサモジュール用の清掃装置であって、ハウジングと、ハウジング内に収容された光学センサとを備え、清掃装置は、センサモジュールによって支持された第２スナップ嵌合部材と協働するように形成された第１スナップ嵌合部材を有する円筒形フランジを備え、第１スナップ嵌合部材および第２スナップ嵌合部材は、取り付けられた状態において、円筒形フランジの軸線が光学センサの光軸と一致するように構成され、噴霧開口を有する少なくとも１つのパイプが、円筒形フランジの内壁に固定され、噴霧開口は、光学部品に向けて方向付けられていることを特徴とする。
【００１３】
本発明による清掃装置は、以下の特徴の１つまたは複数を単独でまたは組み合わせて有し得る。一態様によれば、第１スナップ嵌合部材は、第２スナップ嵌合部材を形成する円形溝であって、センサモジュールの支持部に形成された円形溝と協働するのに適した傾斜部を含んでいる。
【００１４】
別の態様によれば、装置は、円筒形フランジの内壁に規則的に分配された３つの第１スナップ嵌合部材を含んでいる。
【００１５】
第１スナップ嵌合部材は、例えば、円筒形フランジと一体成形で作製されている。
【００１６】
別の態様によれば、装置は、各々が噴霧開口を有するとともに、円筒形フランジの内壁に対して互いに平行に固定された第１パイプと第２パイプとを備え、第１パイプは、洗浄液を噴霧するように意図されており、第２パイプは、圧縮空気を噴霧するように意図されている。
【００１７】
第１パイプおよび第２パイプは、例えば異なる直径を有し、特に第２パイプは、第１パイプよりも小さい直径を有する。
【００１８】
当該少なくとも１つの第１パイプが、円筒形フランジの内壁に対して、接着により固定されていても良い。
【００１９】
当該少なくとも１つの第１パイプは、例えば、円筒形フランジの内周の半分のみに延びている。
【００２０】
また、本発明は、ハウジングと、ハウジング内に収容された光学センサとを備える光学センサモジュールであって、上述した清掃装置を備えることを特徴とする光学センサモジュールに関する。
【００２１】
他の利点および特徴は、本発明の詳細な説明を読むとともに、一実施形態による光学検出システムの部分的な断面図を含む分解斜視図を示す単一の添付図面により、明らかになるであろう。
【００２２】
記載された実施形態は例である。説明は１つ以上の実施形態を参照するが、これは必ずしも各参照が同じ実施形態に関連していること、またはその特徴が単一の実施形態にのみ適用されることを意味するものではない。異なる実施形態の単一の特徴を組み合わせて、他の実施形態を提供することもできる。
【図面の簡単な説明】
【００２３】
【図１】図１は、自動車用の本発明による光学検出システム１の実施形態を示す図である。
【発明を実施するための形態】
【００２４】
光学検出システム１は、例えば、自動車の後部、例えばバンパーまたはナンバープレート（図示せず）上に取り付けられるように意図されている。光学検出システム１は、例えば、サイド後方確認ミラーを取り替えることによって、車両の側面に取り付けることもできる。
【００２５】
光学検出システム１は、光学センサモジュール３、特にカメラと、光学センサモジュール３の光学部品用の清掃装置５と、を備えている。
【００２６】
光学センサモジュール３、例えばカメラモジュールは、ハウジング７と、ハウジング７内に収容された光学センサ９、特に露光量センサ（exposure sensor）（点線で概略的に示す）と、光学部品１１、特にセンサ９の前方に配置され、ハウジング７の壁の少なくとも一部を形成する保護ガラス１２と、を備えている。
【００２７】
ハウジング７は、光学センサを密閉してしっかりと取り囲んでいる。
【００２８】
保護ガラス１１は、ガラスまたはポリカーボネートから作られ得る。
【００２９】
光学センサ９は、例えば、ＣＣＤ（電荷結合素子）センサや、小型フォトダイオードのマトリクスからなるＣＭＯＳセンサである。別の変形例によれば、光学センサ９は、ＬＩＤＡＲセンサであっても良い。
【００３０】
また、光学部品１１は、例えば、魚眼レンズのような凸型（ドーム型）レンズを含んでいる。
【００３１】
一般に、光学部品１１は、例えば、センサ９の前に配置された保護ガラス１２およびレンズのような光学要素を含んでいる。特定の状態では、保護ガラスがなく、この機能は、ハウジング７にしっかりと固定されたレンズによって保証される。
【００３２】
光学センサ９は、保護ガラス１２が光学センサ９の光軸Ａに沿って向けられるように、モジュール３内に設置されている。
【００３３】
清掃装置５は、センサモジュールによって支持された第２関連スナップ嵌合部材２５と協働するように形成された第１スナップ嵌合部材２３を有する円筒形フランジ２１を含んでいる。
【００３４】
第１スナップ嵌合部材２３および第２スナップ嵌合部材２５は、取り付けられた状態において、円筒形フランジ２１の回転軸線が光学センサ９の光軸Ａと一致するように構成されている。
【００３５】
図１に示すように、第１スナップ嵌合部材２３は、例えば、第２スナップ嵌合部材２５を形成する円形溝であって、光学部品１１、例えば、光学センサ９の前方に配置されたレンズの支持部３１に形成された円形溝と協働するのに適した傾斜部を含んでいる。明らかに、周囲の溝の代わりに３つの別個のノッチによって、第２スナップ嵌合部材２５を形成することが考えられる。
【００３６】
一実施形態によれば、設備は、センタリングを容易にするために、円筒形フランジ２１の内壁３３に規則的に分配された３つの第１スナップ嵌合部材２３により作られている。
【００３７】
第１スナップ嵌合部材２３は、特に、円筒形フランジ２１と一体成形で作製されている。
【００３８】
また、清掃装置５は、少なくとも１つのパイプ、この例では、各々が噴霧開口３５Ｏ、３７Ｏを有する第１パイプ３５と第２パイプ３７とを備えている。
【００３９】
第１パイプ３５および第２パイプ３７は、例えば接着によって、円筒形フランジ２１の内壁３３に互いに平行に固定されている。第１パイプ３５および第２パイプ３７は、例えば、ゴムから作られ、可撓性があるとともに、柔軟なパイプである。図示しない変形例によれば、平坦かつ円形の直径を有さないパイプが使用され得て、これにより接着による固定を容易にすることができる。
【００４０】
図示しない変形例によれば、内壁３３に固定され、パイプ３５、３７を固定するとともに、所定の位置にパイプ３５、３７を保持するために、内壁３３の両側かつ交互に配置されたフックが設けられる。フックは、例えば、円筒形フランジ２１と一体成形で作られる。
【００４１】
２つのパイプ３５、３７は、噴霧開口３５Ｏ、３７Ｏが光学センサ９の前方に配置された光学部品１１に向けて方向付けられるように、配置されている。
【００４２】
第１パイプ３５は、洗浄液を噴霧するように意図されており、ポンプを含む洗浄液のタンク（図示せず）に連結されている。第２パイプ３７は、圧縮空気を噴霧するように意図されており、コンプレッサー（図示せず）に連結されている。
【００４３】
したがって、洗浄液を光学部品１１に吹き付けた後、圧縮空気の噴霧により、乾燥後に跡を残し得る残った滴や汚れを追い払うことが可能になる。
【００４４】
一方では、第１パイプ３５および第２パイプ３７の容積を最適化するために、第１パイプ３５および第２パイプ３７が異なる直径を有し、特に、圧縮空気を噴霧する第２パイプ３７は洗浄液用の第１パイプ３５よりも小さくなっている。
【００４５】
節約および噴射された洗浄液の払い出しのために、第１パイプ３５および第２パイプ３７は、円筒形フランジ２１の内周の半分、特に上半分のみに延びている。
【００４６】
本発明による清掃装置は、改装として清掃装置を装備することが可能な任意の光学検出システム、特に既存の光学検出システムに非常に容易に適合するといったことが理解されよう。清掃装置は、低コスト、部品数が少なく、そして複雑さが低減されることにより区別され、一方で、光学部品１１の効果的な清掃が可能である。清掃装置５は、光学検出システム１に容易に取り付けられるとともに、取り除かれることができ、例えば、第１パイプ３５または第２パイプ３７および／または噴霧開口３５Ｏおよび３７Ｏの目詰まりを防止する場合のメンテナンスを容易にする。
【図１】
2019504801.tif 000003
【国際調査報告】
2019504801.tif 000004
2019504801.tif 000005
2019504801.tif 000006
2019504801.tif 000007